(57)【要約】  炭酸飲料ディスペンサー。ボトル。本ボトルは、拡張した後端部と、オフセットされた注ぎ口と、その拡張した後端部とオフセットされた注ぎ口との間に配置された実質的に平らな側部と、を含み得る。
2007536170.tif 000002
【特許請求の範囲】
【請求項１】
ボトルであって、
拡張した後端部と、
オフセットされた注ぎ口と、
前記拡張した後端部と前記オフセットされた注ぎ口との間に配置される実質的に平らな側部と、
を有する、ボトル。
【請求項２】
当該ボトルは、ＰＥＴで構成されている、請求項１に記載のボトル。
【請求項３】
当該ボトルは、アルミニウムで構成されている、請求項１に記載のボトル。
【請求項４】
前記拡張した端部は、半球形を有する、請求項１に記載のボトル。
【請求項５】
前記平らな側部は、その中に複数の支持リブを有する、請求項１に記載のボトル。
【請求項６】
前記平らな側部は、前記オフセットされた注ぎ口に対してある角度を有する、請求項１に記載のボトル。
【請求項７】
前記平らな側部の反対側に、湾曲した側部をさらに有する、請求項１に記載のボトル。
【請求項８】
内部ウェブをさらに有する、請求項１に記載のボトル。
【請求項９】
前記内部ウェブは、前記平らな側部に対して実質的に直角に配置される、請求項８に記載のボトル。
【請求項１０】
前記オフセットされた注ぎ口に配置される栓をさらに有し、
前記栓は、傘状の弁を含む、請求項１に記載のボトル。
【請求項１１】
前記オフセットされた注ぎ口に配置される栓をさらに有し、
前記栓は、通気孔のない栓で構成されている、請求項１に記載のボトル。
【請求項１２】
炭酸飲料用の飲料ディスペンサーであって、
ボトルであって、当該ボトルが第１の端部と第２の端部とを有し、前記第１の端部が丸みを帯び、前記第２の端部がオフセットされた注ぎ口を備え、当該ボトルが平坦な第１の側部と湾曲した第２の側部とをさらに有するボトルと、
前記注ぎ口に取り付けられる栓であって、供給時にその中で前記炭酸飲料と接し続ける栓と、
を有する、飲料ディスペンサー。
【請求項１３】
前記栓は、通気式の栓で構成されている、請求項１２に記載の飲料ディスペンサー。
【請求項１４】
前記栓は、通気孔のない栓で構成されている、請求項１２に記載の飲料ディスペンサー。
【請求項１５】
前記ボトルは、内部ウェブを有する、請求項１２に記載の飲料ディスペンサー。
【請求項１６】
前記内部ウェブは、前記平坦な第１の側部に対して実質的に直角に配置される、請求項１５に記載の飲料ディスペンサー。
【発明の詳細な説明】
【技術分野】
【０００１】
技術分野
本発明は、概して飲料ディスペンサーに関し、より詳細には、従来の冷蔵庫に保管可能な炭酸飲料ディスペンサーに関する。
【背景技術】
【０００２】
発明の背景
現行のマルチサービス型の炭酸清涼飲料ボトル、例えば、２リットルＰＥＴ（「ポリエチレンテレフタレート」）ボトルは、通常、栓を開けるたびに、上部空間の炭酸ガス（ＣＯ２）が大気中に放出される。再び栓をすると、ボトル内の製品と何もない空間との間で平衡状態が保たれるまで、製品に混入された炭酸の一部が上部空間に移動する。このサイクルは、ボトルを開栓するたびに繰り返される。製品の消費が続くと、より広い上部空間が平衡になる必要がある。その結果、標準的な２リットルの炭酸清涼飲料ＰＥＴボトルでは、ボトルの内容物が半分程度になると、または約５回または６回ボトルを開けると、炭酸ガスの飽和状態が崩れ得る。つまり、炭酸清涼飲料の気が抜け得る。
【０００３】
現行のマルチサービス型の清涼飲料ボトルの他の課題として、ボトルの持ち運び、ボトルからの注ぎやすさ、およびボトルの保管に難点があることが挙げられる。例えば、消費者は、通常、栓とボトルとの間の初期の密封性には大きな信頼を寄せているかもいしれない。そのため、消費者は特に意識することなく、冷蔵庫の中でボトルを横置し得る。しかし、一旦、ボトルを開栓した後、再栓すると、この信頼は失われ、ボトルは通常縦置きにして保管され得る。しかし、このような縦置きの保管だと、消費者の保管方法の自由を制限してしまうことになり得る。さらに、大部分のマルチサービス型の飲料用ボトルでは、凹凸のないデザインが使用されている。このような凹凸のないデザインのボトルを使用したブランドについて、消費者が区別することは困難であろう。むしろ、消費者は、曲線形状、および／または取手の付いたボトルを好むように思われる。
【０００４】
マルチサービス型の炭酸清涼飲料パッケージおよびシステムに対しては、次のような要望がある。それは、製品の鮮度（飲料内の炭酸ガス含量）を保ったまま、冷蔵庫から直接供給することにより取り扱いのわずらわしさを解消し、消費者が一杯の量を調整できるようにすることである。購入者または消費者が製品を選択する際に、新規パッケージデザインが提供するさらなるこの機能上の利点に気づくことが好ましい。
【発明の開示】
【課題を解決するための手段】
【０００５】
発明の概要
したがって、本出願は、ボトルについて説明し得る。ボトルは、拡張した後端部と、オフセットされた注ぎ口と、その拡張した後端部とオフセットされた注ぎ口との間に配置された実質的に平らな側部と、を含むとよい。
【０００６】
本ボトルは、ＰＥＴまたはアルミニウムから製造され得る。拡張した端部は、概して、半球の形状を有してもよい。平らな側部は、その中に複数の支持リブを含んでいて、オフセットされた注ぎ口に対してある角度を有していてもよい。ボトルは、さらに、平らな側部と反対側に湾曲した側部を含むとともに、内部ウェブを含んでもよい。内部ウェブは、平らな側部に対して実質的に直角に位置してもよい。ボトルは、さらに、オフセットされた注ぎ口に配置された栓を含んでもよい。栓は、傘状の弁または通気孔のない栓を含んでもよい。
【０００７】
本出願は、さらに、炭酸飲料用のディスペンサーについて説明し得る。飲料ディスペンサーは、第１の端部と第２の端部とを有するボトルを含んでもよい。第１の端部は丸みを帯びており、第２の端部はオフセットされた注ぎ口を含んでもよい。ボトルは、さらに、平らな第１の側部と丸みを帯びた第２の側部とを含んでもよい。栓は、注ぎ口に取り付けられてもよい。供給時、栓は炭酸飲料と接したままであってもよい。
【０００８】
栓は、通気孔付きの栓または通気孔のない栓であってもよい。ボトルは、内部ウェブを有してもよい。内部ウェブは、平らな側部に対して実質的に直角に配置されていてもよい。
【発明を実施するための最良の形態】
【０００９】
詳細な説明
図面に関して（いくつかの図面で同様の符号は同様の部分を示す）、図１および図２は、本明細書に記載される炭酸飲料ディスペンサー１００の一例を示したものである。炭酸飲料ディスペンサー１００は、従来の冷蔵庫またはクーラーに入れて使用してもよいし、個別に使用してもよい。図示されるように、炭酸飲料ディスペンサー１００は、ボトル１１０を含み得る。ボトル１１０は、ボトル１１０内の炭酸ガス飽和を維持しながら、ボトル１１０から製品を供給可能とする栓１２０を含み得る。ボトル１１０は、容器１３０内に配置され得る。また、容器１３０なしで、ボトル１１０を単独で使用してもよい。
【００１０】
ボトル１１０は、ＰＥＴまたは同等の材料から製造されるのが好ましい。別種のプラスチック、またはアルミニウム等の金属を使用してもよい。ボトル１１０は、約１リットル〜５リットルの容量範囲とすればよいが、任意の容量のものを使用してもかまわない。ボトル１１０は、既存の瓶詰め機を使用して製造し、既存の充填機にて充填できるようにするのが好ましい。したがって、ボトル１１０の全長は、一般に、約４００ミリメートル未満であり、ボトル１１０の首部より下の高さは約３４０ミリメートル以下であり得る。ボトル１１０の直径は、既存の多くのブロー成形を考慮して、許容値１３０ミリメートルを満足できるようにしなければならない。本明細書中では、その他の容量および形状も使用され得る。
【００１１】
図３〜図７は、ボトル１１０の実施形態を示したものである。この例では、ボトル１４０が示されている。ボトル１４０は、一端に底部１５０を有し、他端に注ぎ口１６０を有し得る。底部１５０は、幾分丸みを帯び、拡張していればよい。つまり、底部１５０は、略半球形の形状を有し得る。拡張した底部１５０により、炭酸ガスのための上部空間が提供される。注ぎ口１６０は、従来のデザインであればよく、図示されるように、底部１５０の中心を通るボトル１４０の中心軸からオフセットされていればよい。
【００１２】
ボトル１４０は、平らな側部１７０と、丸みを帯びた側部１８０と、を有し得る。図示されるように、平らな側部１７０を用いることで、ボトル１４０の一部が切り取られたかのような装飾的外観をボトル１４０全体に与えている。また、平らな側部１７０により、ボトル１４０の横置きが可能になる。平らな側部１７０は、底部１５０から注ぎ口１６０に向けてある角度で延在し得る。本実施形態では、この角度は約６度に設定され得る。異なる角度に設定してもかまわない。角度を利用することによって、製品は確実に注ぎ口１６０に向けて流れ得る。
【００１３】
丸みを帯びた側部１８０は、所望の形状とすることができる。この例で、丸みを帯びた側部１８０は、ザ  コカ-コーラ  カンパニー（ジョージア州、アトランタ（Ａｔｌａｎｔａ，Ｇｅｏｒｇｉａ））から販売されている有名な曲線のボトルと類似する装飾的な外観となっている。ラベルパネル１９０およびいくつかのくぼみ２００も、用いることができる。本明細書中では、ボトル１４０全体の形状として、いかなる所望の形状を使用してもよい。
【００１４】
ボトル１４０全体の形状により、ボトル１４０をその平らな側部１７０を下にして配置した場合、注ぎ口１６０が確実に底部１５０より低くなる。このデザインにすることにより、栓１２０を閉栓したときに栓１２０が常に「ぬれた」状態に維持される。つまり、重力によって、製品が栓１２０に触れた状態に維持される。ボトル１４０を収縮包装して、グラフィックおよびブランド情報を提供してもよい。
【００１５】
平らな側部１７０には、その中に複数の支持リブ２１０が形成されてもよい。支持リブ２１０は、図示されているように、楕円形に近い形状としてもよいが、どのような形状を使用してもかまわない。支持リブ２１０自体を、使用しても使用しなくてもかまわない。
【００１６】
図８〜図１０は、ボトル１１０の他の実施形態、この場合はボトル２１５について示したものである。ボトル２１５は、底部１５０、注ぎ口１６０、平らな側部１７０、および丸みを帯びた側部１８０を有し得る。上記のように、丸みを帯びた側部１８０およびボトル２１５は、全体として、所望の装飾的外観を有することができる。ボトル１４０はまた、内部ウェブ２２０（internal web）を有することができる。ウェブ２２０は、平らな側部１７０に略直角となり、底部１５０から注ぎ口１６０近傍まで延在し得る。ウェブ２２０は、平らな側部１７０の形状を保つとともに、炭酸飲料の使用によって生じる内圧を考慮して低い供給点を維持することに役立つ。
【００１７】
図１１〜図２５は、炭酸飲料ディスペンサーボトル１００内での一体的な使用、または単独での使用を目的としたボトル１１０、１４０、２１５、または任意のボトルで使用できる別の複数の実施形態を示したものである。例えば、図１１は、栓１２０と連通している内部管２５０を有するボトル１１０、１４０、２１５を示す。内部管２５０は、平らな側部１７０に沿って延在するように配置され得る。したがって、ボトルがその平らな側部１７０を下にして配置された場合、内部管２５０によって、栓１２０は、ボトル１１０、１４０、２１５、または類似のボトルを完全に空にすることができる。
【００１８】
図１２〜図１３は、ダストキャップ２６０を有するボトル１１０、１４０、２１５、または類似のボトルの使用を示したものである。ダストキャップ２６０は、ボトル１１０、１４０、２１５の注ぎ口１６０および上端部を全体的に覆う、拡張したカップ状構造体にできる。ダストキャップ２６０を使用すると、注ぎ口１６０にダストキャップ２６０を付けた状態で、ボトル１１０、１４０、２１５を上下逆さまに配置することができる。ダストキャップ２６０は、また、ボトル１４０から取り外し、底部１５０および平らな側部１７０に沿ってボトル１１０、１４０、２１５の下に取り付けることができる。このように、ダストキャップ２６０によって、ボトル１１０、１４０、２１５は、供給角度に保たれる。さらに、ダストキャップ２６０の実施形態を図１４〜図１５に示す。ダストキャップ２６０は、使い勝手が良い任意の容量または形状にすることができる。
【００１９】
図１６〜図１７は、ボトル１１０、１４０、２１５、または類似のボトルと、サポートベース２７０との併用を示したものである。サポートベース２７０もカップ状構造体であり、ボトル１１０、１４０、２１５の底部１５０にかぶせることで、ボトル１１０、１４０、２１５を直立に配置することができる。サポートベース２７０には、その上にタブ２８０または類似の構造体を配置できる。サポートベース２７０によってボトル１１０、１４０、２１５を供給角度に保つことができるよう、タブ２８０を折り曲げることができる。サポートベース２７０は、使い勝手が良い任意の容量または形状にすることができる。
【００２０】
図１８〜図２０は、ボトル１１０、１４０、２１５、または類似のボトルと、取手２９０との併用を示したものである。取手２９０は、注ぎ口１６０の周囲を囲むつば３００を有することができる。取手２９０は、また、つば３００から延在する略Ｌ形のアーム３１０を有することができる。アーム３１０は、ボトル１１０、１４０、２１５と接する一組の脚部３２０へと延在し得る。図１８に示すように取手２９０を取り付けると、消費者はボトル１１０、１４０、２１５を持ち運ぶことができる。図１９に示すように取手２９０を取り付けると、ボトル１１０、１４０、２１５を上下逆さまに配置および支持できる。図２０に示すように取手２９０を取り付けると、ボトル１１０、１４０、２１５を供給角度に配置することができる。
【００２１】
図２１〜図２２は、取手３３０のさらなる実施形態を示したものである。本実施形態において、取手３３０は、ボトル１１０、１４０、２１５、または類似のボトルの平らな側部１７０を中心に回転し得る。取手３３０は、ヒンジ３４０によってボトル１１０、１４０、２１５に取り付けられ得る。取手３３０は、注ぎ口１６０の周囲を取り囲むつば３５０を有し得る。図２１に示すように、取手３３０によって、ボトル１１０、１４０、２１５を持ち運ぶことができる。図２２に示すように、取手３３０を下方に回転させることにより、ボトル１１０、１４０、２１５を供給角度に保つことができる。
【００２２】
図２３〜図２４は、ボトル１１０、１４０、２１５、または類似のボトルと併用できる栓１２０の例を示したものである。栓１２０は、従来の蓋締機で閉栓されることが好ましい。栓１２０によって、輸送時、配送時、および保管時には、確実に密封される。華氏約１００度（摂氏約３７．８度）で約１４日間保管した場合、栓１２０は約４．５の気体容積で炭酸ガスの放出を発生させてはならない。華氏約４０度（摂氏約４．４度）〜華氏約７５度（摂氏約２３．９度）の温度範囲にある炭酸製品では、供給時の炭酸飲料の泡立ちを最小限に抑える必要がある。最初の供給時における製品の品質（炭酸ガス飽和レベル）は、ボトルから最初に製品を分注するときの製品の品質並にする必要がある。それ以降の分注では、従来のボトルおよび／または分注性能を上回る製品品質を提供する必要がある。
【００２３】
栓１２０には、リサイクル上問題のない材料を選択する必要がある。例えば、浮上分離中にＰＥＴフレークからの分離が困難な材料は適切でない。材料の密度は、約１Ｋｇ／Ｄｍ３未満でなければならない。栓１２０は、現行の２８ミリメートルまたは３８ミリメートル仕上げの修正版に適合しなければならず、ボトル１１０からは「実質的に取外し不可能」であることが好ましい。栓１２０の閉栓は、標準型の蓋締機および蓋締チャックを用いて行うのが好ましい。
【００２４】
栓１２０により、ボトル１１０から製品をすべて注出することができる。上記のように、ボトル１１０は、実質的に水平位置から供給され、オフセットされた首部仕上げを含み、重力により放出されるのを促進することができる。栓１２０は、ボトル１１０の首部仕上げに嵌合するように設計されるとよい。栓１２０の全長は、冷蔵庫内にディスペンサー１００全体がうまく収まるように最小限に抑えられるとよい。ダストキャップ２６０を使用する場合は、不正に開栓されたときに見た目で判別できるようにし、不正開栓防止用収縮スリーブを設ける必要がないようにする。
【００２５】
ボトル１１０の脱気はすべて、栓１２０を介して行われる必要がある。ボトル１１０、１４０、２１５では、製品注入用および供給用の開口部は１つだけにする必要がある。通気孔１２０からの液だれはなく、かつ、いかなる使用可能な炭酸ガス飽和レベルでも炭酸ガスの放出は行われない。栓１２０は、片手で作動させることができなければならない。栓１２０は、供給後、自動的に閉まらなければならない。栓１２０を作動させるのに必要な力は、約５ポンド（約２．３キログラム）を上回るべきではない。華氏約４０度〜約７５度（摂氏約４．４度〜約２３．９度）の温度範囲にある製品については、製品がすべて供給されるまでの流量は１秒間で約１オンス（約２９．６ミリリットル）以上でなければならない。栓１２０は、液だれを生じることなく、約５０回は機能する（開閉できる）必要がある。
【００２６】
公知の栓１２０としては、トムリンソン・インダストリーズ社（オハイオ州、クリーブランド）製のものが挙げられる。図２３は、トムリンソン・インダストリーズ社製の通気孔付きの栓４００の例を示したものである。通気孔付きの栓４００は、ボトル１１０内の炭酸ガスを維持しながら製品を供給することができる傘状の弁（umbrella valve）の一形態である。
【００２７】
例えば、アクチュエータＡを栓本体Ｂの前壁ＦＷの方へ手で押すと、シールキーパーアームＭが内側に動き、出口Ｏへ液体を通すための通路ＰがシールＳＴとシートＶＳの間に形成されるのがわかる。シールキーパーアームＭはまたチェック弁Ｋを開き、これにより、通気口ＶＩと通気通路ＶＰを介して容器空間Ｓに空気が流れ込む。栓４００は、通路Ｐへの初期の液体噴出を制限する圧力補正装置４１０を備えていてもよい。圧力補正装置４１０は、ディフューザー４２０およびバタフライバッフル４３０を含み得る。
【００２８】
通気孔付きの栓４００の詳細については、２００５年３月２３日に出願されたラビンスキー（Ｌａｂｉｎｓｋｉ）らの「自閉通気孔付き弁（Ｓｅｌｆ−Ｃｌｏｓｉｎｇ  Ｖｅｎｔｅｄ  Ｖａｌｖｅ）」と題された米国特許出願第１１／０８７，９０８号、および２００４年３月２３日に出願されたラビンスキーらの「自閉通気孔付き弁」と題された米国仮出願第６０／５５５，４５３号を参照されたい。
【００２９】
図２４は、栓１２０の他の例を示したものである。この場合は、通気孔のない栓４５０を取り上げる。本明細書で示す通気孔のない栓４５０は、スマートシール  ＡＳ社（ノルウェー、Ｓｍａｒｔｓｅａｌ）製のものである。通気孔のない栓４５０によって、余計な空気を吸い込むことなく、ボトル１１０から製品を供給できる。図示したように、レバー４６０を押し下げると、シール４７０が上昇し、開口部４８０を通して製品が分注される。通気孔のない栓４５０の詳細については、２００４年４月５日に出願されたノルウェー特許出願第２００４−１３９７号を参照されたい。
【００３０】
その他にも、栓１２０のタイプとしては、「コーヒー沸かし器」型の栓、「水冷却器」型の栓、従来のビール樽タップ、大型の供給ボトルで使用される液体洗濯洗剤用の栓等を挙げることができる。製品内での炭酸ガス飽和状態が崩れることなく、製品を分注可能な栓１２０であれば、いかなるタイプでも使用できる。
【００３１】
様々なタイプの栓１２０について、試験され、公知の栓との比較が実施された。標準的な２リットルボトルまたは３リットルボトルを使用して、栓１２０と従来のねじ止め式の栓との比較が行われた。栓１２０を使用することで、可能な供給回数と、後での供給時の製品内の残留圧力量に改善が見られた。例えば、通常の２リットルボトルまたは３リットルボトルが５回または６回の供給または開栓で「気の抜けた状態」になる場合でも、本明細書の栓１２０を使用することで、供給または開栓の回数を１１回、１２回、またはそれ以上に伸ばすことができる。栓１２０は、ボトル１１０の安定性も維持する。
【００３２】
図１に矩形の容器１３０を示したが、容器１３０は様々な形状を有することができる。ただし、矩形の容器はザ  コカ-コーラ  カンパニー（ジョージア州、アトランタ）が販売する「Ｆｒｉｄｇｅ−Ｐａｃｋ」容器と類似しているので、形状は矩形とするのが好ましい。「Ｆｒｉｄｇｅ−Ｐａｃｋ」は冷蔵庫の「ほとんど利用されない」空間に保管することができるため、消費者に人気のあることが判明している。さらに、容器１３０を冷蔵庫内に配置する場合、容器１３０を積み重ねること、および／または、他の製品を容器１３０の上に載せることができる。他に選択可能な形状としては、拡張した６面体で平坦な底部を有する形状、平らであり丸みを帯びた端部または平坦な底部を有する円錐形、上端が平らな半円形状、栓１２０近傍に半円形の切欠きがあり正方形のピラミッド型形状などが挙げられるが、この他にも所望のサイズまたは形状を選択できる。また、これら容器１３０のいずれにも、透明なパネルを１つ以上配置することができる。
【００３３】
各種の容器１３０は、ボール紙、板紙、プラスチック、または類似の材料から製造することができる。容器１３０は、従来の方法で製造することができる。容器１３０は、縦置きの状態で市場に出されるが、供給時は水平方向に使用され得る。栓１２０は、容器１３０内に取り付けられ、栓１２０に近づくために容器１３０の一部分を取り外してもよい。或いは、栓１２０は、図示されているように、容器１３０の外側に配置してもよい。容器１３０上には、グラフィックを印刷してもよい。また、容器１３０上には、取手を配置してもよい。また、ボトル１１０、１４０、２１５は、容器１３０なしで使用してもよい。
【００３４】
図２５は、ボトル１１０の他の実施形態を示す。この例で、ボトル５００は、丸みを帯びた２つの側面１８０を用いている。図示されているように、ボトル５００の全体の外観は、ザ  コカ-コーラ  カンパニー（ジョージア州、アトランタ）が販売する有名な曲線のボトルの外観によく似ている。この場合も、供給を助けるために拡張された底部１５０およびオフセットされた注ぎ口１６０が使用される。
【００３５】
図２６は、飲料ディスペンサーシステム１００の飲料の他の例を示す。この例では、ボトル１１０、１４０、２１５、または類似したボトルが容器１３０内に配置され得る。ボトル１１０と容器１３０との間には、１つ以上の挿入物５１０が配置される。挿入物５１０は、ボトル１１０内の製品を長期にわたり冷たい状態に保てるように、発泡材料またはその他の絶縁材料で製造され得る。
【００３６】
図２７は、さらに他の例を示したものである。この例において、容器１３０は、開口部５２０を有し、これにより、消費者は、ボトル１１０、１４０、２１５、または類似のボトル内の製品が冷たく保たれるよう容器１３０内に氷５３０を入れることができる。容器１３０は、裏打ちするか、プラスチック等の材料で製造することで、容器１３０をほぼ防水とすることができる。
【図面の簡単な説明】
【００３７】
【図１】従来の冷蔵庫内に配置される炭酸飲料ディスペンサーの実施形態を示す斜視図である。
【図２】炭酸飲料ディスペンサーのボトル、栓、および容器の側断面図である。
【図３】炭酸飲料ディスペンサーと併用するボトルの斜視図である。
【図４】図３のボトルの側面図である。
【図５】図３のボトルの底面図である。
【図６】図３のボトルの側面図である。
【図７】図６の線７−７に沿った断面図である。
【図８】炭酸飲料ディスペンサーと併用するボトルの他の実施形態の斜視図である。
【図９】図８のボトルの平面図である。
【図１０】図８のボトルの底面図である。
【図１１】内部に排気管を有するボトルの側面図である。
【図１２】底部を有するボトルの斜視図である。
【図１３】図１２の底部を有するボトルの側面図である。
【図１４】ダストキャップを有するボトルの側面図である。
【図１５】図１４のダストキャップを有するボトルの更なる側面図である。
【図１６】ダストキャップを有するボトルの斜視図である。
【図１７】図１６のダストキャップを有するボトルの側面図である。
【図１８】取手を有するボトルの側面図である。
【図１９】図１８の取手を有するボトルの更なる側面図である。
【図２０】図１８の取手を有するボトルの更なる側面図である。
【図２１】取手を有するボトルの斜視図である。
【図２２】図２１の取手を有するボトルの側面図である。
【図２３】通気孔付きの栓の側断面図である。
【図２４】通気孔のない栓の側断面図である。
【図２５】湾曲した２つの側面を有するボトルの斜視図である。
【図２６】発泡材挿入物を有する容器の斜視図である。
【図２７】氷を入れるための開口部を有する容器の斜視図である。
【図１】
2007536170.tif 000003
【図２】
2007536170.tif 000004
【図３】
2007536170.tif 000005
【図４】
2007536170.tif 000006
【図５】
2007536170.tif 000007
【図６】
2007536170.tif 000008
【図７】
2007536170.tif 000009
【図８】
2007536170.tif 000010
【図９】
2007536170.tif 000011
【図１０】
2007536170.tif 000012
【図１１】
2007536170.tif 000013
【図１２】
2007536170.tif 000014
【図１３】
2007536170.tif 000015
【図１４】
2007536170.tif 000016
【図１５】
2007536170.tif 000017
【図１６】
2007536170.tif 000018
【図１７】
2007536170.tif 000019
【図１８】
2007536170.tif 000020
【図１９】
2007536170.tif 000021
【図２０】
2007536170.tif 000022
【図２１】
2007536170.tif 000023
【図２２】
2007536170.tif 000024
【図２３】
2007536170.tif 000025
【図２４】
2007536170.tif 000026
【図２５】
2007536170.tif 000027
【図２６】
2007536170.tif 000028
【図２７】
2007536170.tif 000029
【手続補正書】
【提出日】平成18年1月4日(2006.1.4)
【手続補正１】
【補正対象書類名】特許請求の範囲
【補正対象項目名】全文
【補正方法】変更
【補正の内容】
【特許請求の範囲】
【請求項１】
ボトルであって、
丸みを帯び、拡張した後端部と、
オフセットされた注ぎ口と、
前記丸みを帯び、拡張した後端部と前記オフセットされた注ぎ口との間に配置された、実質的に平らな側部及び実質的に湾曲した側部と、
を有するボトル。
【請求項２】
前記ボトルは、ＰＥＴで構成されている、請求項１に記載のボトル。
【請求項３】
前記ボトルは、アルミニウムで構成されている、請求項１に記載のボトル。
【請求項４】
前記丸みを帯び、拡張した端部は、半球形を有する、請求項１に記載のボトル。
【請求項５】
前記平らな側部は、その中に複数の支持リブを有する、請求項１に記載のボトル。
【請求項６】
前記平らな側部は、前記オフセットされた注ぎ口に対してある角度を有する、請求項１に記載のボトル。
【請求項７】
前記実質的に湾曲した側部は、前記実質的に平らな側部と対向している、請求項１に記載のボトル。
【請求項８】
内部ウェブをさらに有する、請求項１に記載のボトル。
【請求項９】
前記内部ウェブは、前記平らな側部に対して実質的に直角に配置される、請求項８に記載のボトル。
【国際調査報告】
2007536170.tif 000030
2007536170.tif 000031
2007536170.tif 000032
2007536170.tif 000033
2007536170.tif 000034